(57)【特許請求の範囲】
【請求項１】
傾斜した屋根の棟部に略沿って固定されるアンカー部材と、
前記アンカー部材と連結し屋根の傾斜に沿って屋根の棟部から軒先に向かって設けられる複数本の梁棒と、
隣り合った梁棒相互間を架橋する複数本のつなぎ棒と、
屋根上面に載置され前記梁棒を支持する複数の脚体と、
を有し、
前記梁棒又はつなぎ棒に命綱を取り付ける命綱取り付け装置であって、
前記脚体は、他の脚体を屋根上面に載置した状態で個別的に屋根上面と離間しうる離間機構を有しており、 
屋根の前記軒先近傍または屋根の妻部近傍において、当該軒先または妻部を上下から挟み込んで屋根と固定されつつ前記梁棒を支持する補強部材が設けられており、且つ
前記命綱取り付け装置は、軒先近傍において軒先と略平行に設けられた軒先吊棒と、この軒先吊棒に吊り下げられ、屋根の軒先から落下する物体を受け止める軒先養生籠とを有するとともに、屋根の妻部近傍において妻部と略平行に設けられた妻部吊棒と、この妻部吊棒に吊り下げられ、屋根の妻側から落下する物体を受け止める妻部養生籠とを有することを特徴とする屋根作業用命綱取り付け装置。
【請求項２】
屋根の傾斜に沿って屋根の棟部から軒先に向かって設けられる複数本の梁棒と、
隣り合った梁棒相互間を架橋する複数本のつなぎ棒と、
屋根上面に載置され前記梁棒を支持する複数の脚体と、
を有し、
前記梁棒又はつなぎ棒に命綱を取り付ける命綱取り付け装置であって、
前記脚体は、他の脚体を屋根上面に載置した状態で個別的に屋根上面と離間しうる離間機構を有しており、
前記命綱取り付け装置は、前記棟部から２方向に傾斜する屋根両面に設けられ、且つ、当該棟部近傍においてこれら屋根両面にそれぞれ設けられた装置同士が互いに結合されており、 
屋根の前記軒先近傍または屋根の妻部近傍において、当該軒先または妻部を上下から挟み込んで屋根と固定されつつ前記梁棒を支持する補強部材が設けられており、且つ
前記命綱取り付け装置は、軒先近傍において軒先と略平行に設けられた軒先吊棒と、この軒先吊棒に吊り下げられ、屋根の軒先から落下する物体を受け止める軒先養生籠とを有するとともに、屋根の妻部近傍において妻部と略平行に設けられた妻部吊棒と、この妻部吊棒に吊り下げられ、屋根の妻側から落下する物体を受け止める妻部養生籠とを有することを特徴とする屋根作業用命綱取り付け装置。
【請求項３】
前記梁棒には、屋根の軒先と略平行に設けられる柵体が固定されるとともに、この柵体と前記梁棒とのなす角度は変更可能であり、屋根の傾斜角度に応じて柵体を鉛直に固定しうることを特徴とする請求項１または２のいずれかに記載の屋根作業用命綱取り付け装置。 
【請求項４】
前記梁棒は、複数の梁棒ユニットを棒状に連結することにより構成されており、
隣り合った梁棒相互間の、軒先と平行な方向における間隔は２５００ｍｍ以下とされ、
装置を構成する全ての部材は、その長さが２５００ｍｍ以下であることを特徴とする請求項１乃至３のいずれかに記載の屋根作業用命綱取り付け装置。
【請求項５】
前記脚体の前記離間機構は、
前記脚体を前記梁棒に対して屋根下方向に回動可能に軸着する軸着機構と、
この回動を防止する固定手段と
を備えていることを特徴とする請求項１乃至４のいずれかに記載の屋根作業用命綱取り付け装置。
【請求項６】
前記つなぎ棒は伸縮可能とされているとともに、このつなぎ棒の両端部には、前記梁棒の上方から当該梁棒を嵌め込むことができる嵌め込みジョイント部が設けられていることを特徴とする請求項１乃至５のいずれかに記載の屋根作業用命綱取り付け装置。 
【発明の詳細な説明】
【技術分野】
【０００１】
本発明は、傾斜した屋根上での作業を安全に行うことができる屋根作業用命綱取り付け装置に関する。
【背景技術】
【０００２】
傾斜した屋根上での作業は作業者が落下する危険を伴うため、作業に際しては落下を防止するため装置を設置する必要がある。従来、落下を防止する装置としては、軒下の地面から足場を組み上げることが一般的に行われていた。また、かかる軒下足場に加えて、屋根面の上にも足場を設けて安全性を確保する場合もあった（例えば、特許文献１参照。）。
【０００３】
また、かかる足場の代わりに、屋根の棟に命綱取り付け用のアンカーを打ち込んだり、屋根上に張設されたロープに命綱を掛けたりして安全性を確保する場合もあった。（例えば、特許文献２参照。）。
【０００４】
【特許文献１】特開２００２−８９０３３号公報
【特許文献２】特開２００２−３２７５４０号公報
【発明の開示】
【発明が解決しようとする課題】
【０００５】
しかしながら、地面から足場を組み立てる場合、その設置には膨大なコストと労力を必要とし、特に高層建築の場合にはそれが顕著である。また足場を組み立てるため工期も極めて長くなってしまう。また、地面から足場を組み立てると、高層階であっても足場を経由して建物内に侵入可能な状態となるため、防犯上問題がある他、建物内の窓等から外を見る際に足場が見える状態となるから建物の居住性、快適性を損なうことにもなる。また、屋根の上に足場を設ける場合、瓦やシングル等の屋根材を葺く場合などに当該足場が邪魔になって作業ができず、又は作業性が著しく低下する。一方、棟に固定したアンカーから下ろした命綱や、屋根上に張設されたロープによる安全装置では、コストは低いものの、安全性の確保が十分ではない。即ち、ロープや命綱が長くなるため、作業者は不安定な状態となり、作業性が極めて悪くなる。また長いロープに足を取られて転倒する可能性もあり、安全性の高いものとはならない。
本発明は、かかる状況に鑑みてなされたものであり、極めて安全性が高く、かつ低コストで、しかも容易に設置でき、さらに屋根作業が行いやすい屋根作業用命綱取り付け装置を提供することを目的とする。
【課題を解決するための手段】
【０００６】
上記の目的を達成するため、本発明では、傾斜した屋根の棟部に略沿って固定されるアンカー部材と、
前記アンカー部材と連結し屋根の傾斜に沿って屋根の棟部から軒先に向かって設けられる複数本の梁棒と、
隣り合った梁棒相互間を架橋する複数本のつなぎ棒と、
屋根上面に載置され前記梁棒を支持する複数の脚体と、
を有し、
前記梁棒又はつなぎ棒に命綱を取り付ける命綱取り付け装置であって、
前記脚体は、他の脚体を屋根上面に載置した状態で個別的に屋根上面と離間しうる離間機構を有しており、 
屋根の前記軒先近傍または屋根の妻部近傍において、当該軒先または妻部を上下から挟み込んで屋根と固定されつつ前記梁棒を支持する補強部材が設けられており、且つ
前記命綱取り付け装置は、軒先近傍において軒先と略平行に設けられた軒先吊棒と、この軒先吊棒に吊り下げられ、屋根の軒先から落下する物体を受け止める軒先養生籠とを有するとともに、屋根の妻部近傍において妻部と略平行に設けられた妻部吊棒と、この妻部吊棒に吊り下げられ、屋根の妻側から落下する物体を受け止める妻部養生籠とを有することを特徴とする屋根作業用命綱取り付け装置としている。
【０００７】
このような装置では、足場が無いため設置コストを大幅に低減できる。また屋根の棟部から軒先にむかって設けられた梁棒は、アンカー部材と連結されており、さらに脚体に支持されているので、屋根上で極めて安定的に固定される。さらに、隣り合った梁棒相互間はつなぎ棒により架橋されているので、梁棒とつなぎ棒により強固な構造体を形成し、高い安全性が確保される。また作業者は、梁棒又はつなぎ棒の任意の位置に命綱を取り付けることができるので、命綱を短くすることができ、更に身近な梁棒やつなぎ棒に掴まることもできる。よって、作業者は安定して作業することができ、安全性や作業性が向上する。さらに、脚体は離間機構を有するので、当該脚体が屋根作業の障害となる場合には、他の脚体により梁棒が支持された状態を保ちつつ障害となる脚体のみを個別的に屋根上面から離間させることができる。
【０００８】
また、軒先近傍において軒先と略平行に設けられた軒先吊棒と、この軒先吊棒に吊り下げられ、屋根の軒先から落下する物体を受け止める軒先養生籠とを有しているので、軒先養生籠が軒先から落下する物体を受け止めることができ、物体の落下を防止できる。軒先養生籠は、軒先吊棒に吊り下げるだけで設置できるので、軒先養生籠の設置が極めて容易となるとともに、軒先養生籠自体を極めて小型化且つ軽量化できる。また、軒先吊棒が軒先と略平行に設けられているので、この吊棒に軒先養生籠を吊り下げることにより、軒先養生籠を軒先に沿って設置することが容易となる。
【０００９】
さらに、屋根の妻部近傍において妻部と略平行に設けられた妻部吊棒と、この妻部吊棒に吊り下げられ、屋根の妻側から落下する物体を受け止める妻部養生籠とを有しているので、妻部養生籠が妻側から落下する物体を受け止めることができ、物体の落下を防止できる。妻部養生籠は、妻部吊棒に吊り下げるだけで設置できるので、妻部養生籠が極めて容易に設置できるとともに、妻部養生籠自体は極めて小型化且つ軽量化できる。また、妻部吊棒が妻部と略平行に設けられているので、この吊棒に妻部養生籠を吊り下げることにより、妻部養生籠を妻部に沿って設置することが容易となる。
【００１０】
また、本発明に係る他の屋根作業用命綱取り付け装置は、屋根の傾斜に沿って屋根の棟部から軒先に向かって設けられる複数本の梁棒と、
隣り合った梁棒相互間を架橋する複数本のつなぎ棒と、
屋根上面に載置され前記梁棒を支持する複数の脚体と、
を有し、
前記梁棒又はつなぎ棒に命綱を取り付ける命綱取り付け装置であって、
前記脚体は、他の脚体を屋根上面に載置した状態で個別的に屋根上面と離間しうる離間機構を有しており、
前記命綱取り付け装置は、前記棟部から２方向に傾斜する屋根両面に設けられ、且つ、当該棟部近傍においてこれら屋根両面にそれぞれ設けられた装置同士が互いに結合されており、 
屋根の前記軒先近傍または屋根の妻部近傍において、当該軒先または妻部を上下から挟み込んで屋根と固定されつつ前記梁棒を支持する補強部材が設けられており、且つ
前記命綱取り付け装置は、軒先近傍において軒先と略平行に設けられた軒先吊棒と、この軒先吊棒に吊り下げられ、屋根の軒先から落下する物体を受け止める軒先養生籠とを有するとともに、屋根の妻部近傍において妻部と略平行に設けられた妻部吊棒と、この妻部吊棒に吊り下げられ、屋根の妻側から落下する物体を受け止める妻部養生籠とを有することを特徴とする。
【００１１】
この場合、屋根両面に設けられた装置同士が互いに結合しているので、これら屋根両面の装置同士の釣り合いにより、アンカー部材がなくても装置を屋根上に確実に固定できる。
なおこの場合、屋根両面の装置が棟部を通る鉛直面に対して互いに対称である場合には、前記釣り合いが完全となるのでより好ましい。
【００１２】
さらに、前記梁棒には、屋根の軒先と略平行に設けられる柵体が固定されるとともに、この柵体と前記梁棒とのなす角度は変更可能であり、屋根の傾斜角度に応じて柵体を鉛直に固定しうる構成としてもよい。このようにすると、安定的に設置された梁棒上に柵体が固定されるので、柵体もまた安定的に固定されることとなり、作業者の高い安全性が確保される。また、柵体と梁棒との成す角度を変更できるので、様々な傾斜角度を有する屋根に対応できる。さらに、柵体を設けることにより、作業者に視覚的な安心感を与えるとともに、作業者の転落を防止する。
【００１３】
さらに、前記梁棒は、その上側端部付近に長手方向に沿って複数のボルト穴を備えることにより、他部材との連結位置を調整可能としている構成としてもよい。このようにすると、梁棒の上側端部と他部材との連結位置を、ボルト穴の選択により適宜調整することができる。また、当該他部材との連結がボルト及びナットによりなされることとなるため、当該連結が極めて強固となる。
【００１４】
さらに、前記梁棒は、複数の梁棒ユニットを棒状に連結することにより構成されており、隣り合った梁棒相互間の、軒先と平行な方向における間隔は２５００ｍｍ以下とされ、装置を構成する全ての部材は、その長さが２５００ｍｍ以下である構成としてもよい。このようにすると、屋根作業用命綱取り付け装置を構成する全ての部材が２５００ｍｍ以下であるので、汎用のエレベーターに全ての部材を積み込むことができ、部材の運搬や取り扱いが非常に容易となる。そして、梁棒を複数の梁棒ユニットで構成することにより、梁棒を２５００ｍｍ以下の短い部材により構成できる。さらに、隣り合った梁棒相互間の、軒先と平行な方向における間隔を２５００ｍｍ以下としたので、隣り合った梁棒相互間を架橋するつなぎ棒の長さを２５００ｍｍ以下とすることが可能となる。また、隣り合う梁棒間の距離が極めて短いので、作業者と梁棒との距離が近くなり、安全性が高まる。
【００１５】
前記脚体の前記離間機構は、前記脚体を前記梁棒に対して屋根下方向に回動可能に軸着する軸着機構と、この回動を防止する固定手段とを備えているのが好ましい。
この場合、脚体を屋根から離間させる際には、脚体を屋根下方向に回動させるだけでよいので、極めて簡便に離間させることができ作業性が大幅に向上する。また、脚体は梁棒に対して軸着されているので、脚体の長さは常に一定となり、装置の組立精度が高まる。そして、脚体を離間する必要のないときは固定手段により脚体の回動を完全に防止することができるので、装置の安定性が更に高まる。
【００１６】
前記つなぎ棒は伸縮可能とされているとともに、このつなぎ棒の両端部には、前記梁棒の上方から当該梁棒を嵌め込むことができる嵌め込みジョイント部が設けられているのが好ましい。
この場合、つなぎ棒が伸縮自在とされているので、当該つなぎ棒により架橋される隣り合った梁棒相互間の間隔を、つなぎ棒の伸縮範囲において変化させることができる。そうすると、梁棒配置の自由度が高まり、その結果梁棒を支持する脚体の位置自由度も高まる。よって、屋根上面に局所的に凹凸等がある場合等、脚体を配置しにくい位置がある場合に、当該位置を避けるようにして脚体を配置することができる。また、つなぎ棒を収縮させることによりつなぎ棒が短くなって運搬し易くなる。さらに、つなぎ棒を伸ばすことにより梁棒の配置間隔を広げることができるので、必要に応じて梁棒の配置間隔を広くし、装置で使用される梁棒の数やその他の部材数を減らすことができる。
【００１７】
屋根の前記軒先近傍または屋根の妻部近傍において、当該軒先または妻部を上下から挟み込んで屋根と固定されつつ前記梁棒を支持する補強部材が設けられているので、装置の安定性が更に高まるとともに、上述したような軒先養生籠や妻部養生籠を設けた場合には、これら養生籠の安定性を高めることができる。
【発明の効果】
【００１８】
本発明によれば、極めて安全性が高く、かつ低コストで、しかも容易に設置可能であり、さらに屋根作業がしやすい屋根作業用命綱取り付け装置を提供することができる。
【発明を実施するための最良の形態】
【００１９】
以下に、本発明を図面を参照しつつ説明する。図１は、本発明の第一実施形態に係る屋根作業用命綱取り付け装置が屋根に設置された状態を示す斜視図である。図１に示すように、切妻屋根のほぼ全面に亘って屋根作業用命綱取り付け装置が設置されている。この屋根作業用命綱取り付け装置は、傾斜した切妻屋根の棟部ｍに略沿って固定される複数のアンカー部材１と、アンカー部材１と連結し、屋根の棟部ｍから軒先ｓにむかって、屋根の傾斜に沿って棟部ｍと直角の方向に且つ互いに平行に設けられる複数本の梁棒２と、隣り合った梁棒２相互間を架橋する複数本のつなぎ棒３と、屋根上面に載置され梁棒２を支持する複数の脚体４と、を有する。梁棒２はＣ型チャンネル材または角パイプ材等から成り、つなぎ棒３はＬ字アングル材から成る。
【００２０】
図１に示すように、梁棒２は屋根の棟部ｍと直角方向に設置される一方、隣り合った梁棒２間を架橋するつなぎ棒３は棟部ｍと平行な方向に設置されており、梁棒２とつなぎ棒３とで碁盤格子状の構造体を形成している。そして、この構造体は、梁棒２を支持する複数の脚体４により、屋根上面よりも上方の位置で固定されている。作業者は、作業位置に近い梁棒２又はつなぎ棒３に命綱を取り付けて安全を確保する。
【００２１】
また、この屋根作業用命綱取り付け装置は、切妻屋根の棟部ｍを挟んだ２つの傾斜面のそれぞれにおいて同様の構成を備える装置とされている。そして、棟部ｍを挟んだ２つの傾斜面のそれぞれに設けた安全装置は、棟部ｍの上方に位置する梁棒２の棟連結部１０において互いに連結されている。このようにすると、棟部ｍを挟んだ２つの傾斜面に設けられた装置相互間で重量的に釣り合い（バランス）がとれるので、装置をより一層安定的に設置できる。このように、装置が棟部ｍから２方向に傾斜する屋根両面に設けられ、且つ、棟部ｍ近傍においてこれら屋根両面にそれぞれ設けられた装置同士が梁棒２等により連結されている場合には、前記釣り合いによりアンカー部材１が無くても装置が安定する。そして、本実施形態のように、屋根両面に亘って設けられた装置が棟部ｍを通る鉛直面に対して互いに対称である場合には、釣り合いが完全となるのでより好ましい。
【００２２】
梁棒２の下部であって屋根の軒先ｓ近傍には、梁棒２に固定される柵体５が軒先と略平行に設けられている。この柵体５は、枠体にメッキ金網が張られた構造のものであり、略鉛直方向に立設している。また、軒先ｓには、軒先から落下する物体を受け止める軒先養生籠６が設けられている。さらに、屋根の妻側端部即ちケラバの近傍には、屋根の妻側から落下する物体を受け止める妻部養生籠７が設けられている。
【００２３】
図２は、この屋根作業用命綱取り付け装置を屋根の妻側から見た側面図である。この図２では、分かりやすくするために妻部養生籠７の記載を省略している。梁棒２は、複数の梁棒ユニット２ａを、梁棒ジョイント部１１において棒状に連結することにより構成されている。脚体４は、屋根上面に載置されるとともに、梁棒２に沿って等間隔に設けられて梁棒２を支持している。一本の梁棒ユニット２ａ当たり一本の脚体４が設けられている。
【００２４】
図３は、この屋根作業用命綱取り付け装置の棟部ｍ付近の拡大断面図である。アンカー部材１は例えば直径１６ｍｍ程度のボルトであり、屋根の棟部ｍ付近に打ち込まれている。アンカー部材１の上部において梁棒２とアンカー部材１とが、くさび状の勾配座金１５を介してナットｎで締め付けられて互いに連結している。一本の梁棒２につき一本のアンカー部材１が連結している。
【００２５】
図４は、梁棒２を構成する梁棒ユニット２ａの平面図であり、図５は、梁棒ユニット２ａ同士が連結する梁棒ジョイント部１１の拡大平面図である。また、図６はつなぎ棒３の平面図であり、図７は梁棒２とつなぎ棒３との連結部分付近の拡大図である。図４（ａ）に示す梁棒ユニット２ａは標準タイプの梁棒ユニット２ａであるが、梁棒ユニット２ａの一端には、板状のジョイント部材１２が設けられている。なお、図４（ｂ）は、梁棒ユニット２ａのうち最も軒先に近い位置で用いられる軒先専用梁棒ユニット２ａ１であり、図４（ｃ）は棟部専用梁棒ユニット２ａ３であるが、これらについては後述する。
【００２６】
このジョイント部材１２は、略長方形の板状部材であり、その半分が梁棒ユニット２ａの一端に溶接やボルト等で固定されるとともに、残り半分は、梁棒ユニット２ａの端部からその長手方向に沿って突出している。そして、図４（ａ）に示すように、この突出部分はジョイント用穴１３を２つ有するとともに、梁棒ユニット２ａ本体の他端には、このジョイント用穴１３に対応した本体ジョイント用穴１４が２つ設けられている。そして、梁棒ユニット２ａ同士を連結する際には、一の梁棒ユニット２ａの一端のジョイント部材１２に設けられたジョイント用穴１３と、他の梁棒ユニット２ａの他端に設けられた本体ジョイント用穴１４とを重ね合わせた上で、ボルトとナットにより両者を連結している。なお、ジョイント部材１２は、全体が単一の板状であってもよく、あるいは部材の長手方向中央で折れ曲がる蝶番構造とされていてもよい。
【００２７】
図６に示すように、つなぎ棒３はＬ字アングル材から成り、且つその一の外面の両端付近にはボルト状のねじ山を有するボルト状突起３ａが突設されている。一方、梁棒ユニット２ａには、そのジョイント部材１２寄りの位置に、ボルト状突起３ａを挿入するための第一つなぎ受け孔２ｂが設けられている（図４及び図７参照）。さらに、図４及び図７に示すように、この梁棒ユニット２ａにおいて、この第一つなぎ受け孔２ｂに隣接した位置には、短いＬ字アングル材であるＬ字アングル小片２ｃが溶接されており、このＬ字アングル小片２ｃには、ボルト状突起３ａを挿入するための第二つなぎ受け孔２ｄが設けられている。そして、近接する２つのつなぎ受け孔である第一つなぎ受け孔２ｂと第二つなぎ受け孔２ｄとは、梁棒ユニット２ａの長手方向と直角な方向に並列するとともに略同一平面上に位置している（図７参照）。
【００２８】
つなぎ棒３により隣り合った梁棒２間を架橋する構造は次の通りである。即ち、図７に示すように、つなぎ棒３が有する二つのボルト状突起３ａのうち一方側のボルト状突起３ａが、梁棒２の第一つなぎ受け孔２ｂに挿入され、且つ、これとは別のつなぎ棒３の他方側のボルト状突起３ａが、同じ梁棒２に設けられ当該第一つなぎ受け孔２ｂと隣り合った第二つなぎ受け孔２ｄに挿入されている。そして、単一のつなぎ棒３の両端付近に設けられた二つのボルト状突起３ａは、その一方側が一の梁棒２の第一つなぎ受け孔２ｂに挿入され、その他方側が、隣接する他の梁棒２の第二つなぎ受け孔２ｄに挿入されている。このつなぎ棒３による架橋が、棟部ｍと平行な方向に連続しているので、本実施形態に係る屋根作業用命綱取り付け装置では、図１に示すようにつなぎ棒３が連続した長い棒のように見え、梁棒２とつなぎ棒３とで碁盤格子状の構造体を構成している。
【００２９】
ボルト状突起３ａはボルト状のねじ山を有し、かつボルト状突起３ａにはナット（図示省略）がねじ結合している。そして、梁棒２とつなぎ棒３とがこれらボルト状突起３ａとナット（図示省略）によりねじ止めされている。このようにねじ止めすると、つなぎ棒３を梁棒２に確実に固定できるので好ましい。
【００３０】
このように、屋根の上部から下部にかけて設けられた梁棒２は、その上部においてアンカー部材１と連結されており、さらに、一の梁棒ユニット２ａ当たり一本の脚体４で支持されているので、屋根上で極めて安定的に固定される。さらに、隣り合った梁棒２相互間はつなぎ棒３により架橋されているので、梁棒２とつなぎ棒３により強固な構造体を形成し、高い安全性が確保される。
【００３１】
図８は、脚体４付近の側面図であり、図９は、脚体４の下部付近の側面図である。また、脚体４に関し、図７の下部には、脚体４の上部即ち脚体４と梁棒２との結合部分が記載されている。梁棒２には、梁棒ユニット２ａ一本当たり１カ所に脚取付用孔２ｅが設けられている（図４参照）。一方、脚体４の本体部４ｃ（図７、図８参照）は角パイプ材より成るが、この本体部４ｃの上部には脚体プレート４３が溶接されている（図７参照）。この脚体プレート４３は、その一部が脚体４の本体部４ｃよりも上方に突出しており、且つ、角パイプ材の本体部４ｃの外周平面４面のうち対向する２面の上部に、当該平面と面接触させつつ溶接されている。その結果、溶接された２枚の脚体プレート４３は、脚体４の本体部４ｃから突出した部分において、隙間を介して互いに対向する形となる。この隙間に梁棒２のＣ型チャンネル材を挟み込み、ボルトｂで締結ことにより、脚体４が梁棒２に固定されている（図７参照）。
【００３２】
このボルトｂを挿通すべく、脚体４の脚体プレート４３には梁棒取付孔４ａが設けられているが、これは上下方向（脚体４の長手方向）に長いルーズホールとされている（図８参照）。そして、ボルトｂが脚体プレート４３の梁棒取付孔４ａと梁棒２の脚取付用孔２ｅとを貫通している。
【００３３】
また、脚体４の最下部には、脚安定用部材４ｂが設けられている。脚安定用部材４ｂは、図８及び図９に示すように、上方から下方に向かって徐々に拡幅する２枚の台形プレート４０と、これら２枚の台形プレート４０の底辺相互間をつないで延在する底面プレート４１と、この底面プレート４１の外面に貼り付けられたゴムシート４２から成る。そして、このゴムシート４２が屋根上面と面接触している。２枚の台形プレート４０は、角パイプより成る本体部４ｃの両面（棟と平行に対向する両面）の外側に、当該角パイプを挟んで対向して設けられ、これらをボルトｂが貫通することにより、脚安定用部材４ｂは脚体４に固定されている。このボルトｂを軸として、脚体４の本体部４ｃと脚安定用部材４ｂとは相対回転が可能であるため、脚体４の本体部４ｃに対する脚安定用部材４ｂの取付角度は可変である。よって、脚安定用部材４ｂの接地面であるゴムシート４２が、屋根上面に沿うように角度調整することが可能となっている。この角度調節により、脚安定用部材４ｂの底面（即ちゴムシート４２）を屋根上面と面接触させており、よって脚体４は屋根上面に安定的に載置されている。
【００３４】
前述のように、脚体４の梁棒取付孔４ａはルーズホールとされている。即ち、梁棒取付孔４ａの孔幅は、上下方向（脚体４の長手方向）に長くされており、この上下方向で固定位置が任意に調整できるようにされている。したがって、ボルトｂの位置が梁棒取付孔４ａの下側になるように脚体４を上方に移動させて、脚体４と屋根上面とを離間させることが可能となる。一の脚体４を上方に移動して浮かせた場合でも、他の脚体４が梁棒２を支持しているので、装置全体の安定性には影響がない。
【００３５】
このように、脚体４は、他の脚体４を屋根上面に載置した状態で個別的に屋根上面と離間しうる離間機構を有している。よって、屋根作業において脚体４が障害となる場合には、障害となる当該脚体４を屋根上面から離間させればよいので、屋根作業での作業性が極めて高くなる。例えば屋根材を葺く場合、脚体４を屋根上面から離間させることができなければその位置には屋根材を葺くことができず、作業が事実上不可能となる。しかし、この離間機構により、屋根の全面に屋根材を葺くことができる。したがってこの安全装置は、屋根葺き作業用として極めて好適に用いられる。
【００３６】
図１０は、柵体５の正面図であり、図１１は、柵体５と梁棒２との連結部分（図１０の円内）を示す拡大正面図である。柵体５は、柵体ユニット５ａの集合体であり、隣り合う梁棒２間に一の柵体ユニット５ａが設けられ且つこれら柵体ユニット５ａが軒先ｓと平行に並列することにより柵体５が形成されている。
【００３７】
柵体ユニット５ａは、Ｌ字アングル材から成る枠体５１と、この枠体５１内に設けられたメッキ金網５２とを有する。このように柵体ユニット５ａは、いわゆる養生金網と似た構造のものであるが、枠体５１の下辺両端に柵体脚部５３を有する点で通常の養生金網と異なる。この柵体脚部５３は、枠体５１と一体構造を成しており、この柵体脚部５３と梁棒２とが連結することにより、柵体ユニット５ａは梁棒２に固定されている。図１０に示すように、枠体５１の下辺の両端付近の２カ所には、当該下辺の外側底面から下方に向かって延びる柵体脚部５３が突設され、また図１１に示すように、この柵体脚部５３が断面コの字型でボルト穴を有する締付座金１６を介して梁棒２であるＣ型チャンネル材とボルトにより固定されている。一の柵体脚部５３に対して二つの締付座金１６が柵体脚部５３を挟み込むように設けられている。なお、梁棒２はＣ型チャンネル材であるので、その長方形断面の長辺側の一の面においては中央部分が欠落しているが、この欠落部分を補ってボルトｂによる固定を可能とするために補助プレート１７を介在させている（図１１参照）。
【００３８】
図１２は、柵体ユニット５ａの柵体脚部５３付近の側面図である。柵体脚部５３は角パイプから成るが、かかる角パイプを構成する４面のうち、柵体５の面（メッキ金網５２による面）と平行な方向に対向する２面において細長いスリット状の切り欠き５４を有する（図１２参照）。切り欠き５４は、柵体脚部５３の下端からその長手方向に沿って所定位置まで設けられている。図１１に示すように、この切り欠き５４の外側に前述の締付座金１６を被せて、これらの部材と梁棒２のＣ型チャンネル材とを、貫通するボルトｂ及びナットｎで締め込むことにより、柵体ユニット５ａは梁棒２に固定されている。
【００３９】
なお、柵体ユニット５ａを設置する前に、あらかじめ梁棒２に前記締付座金１６、ボルトｂ及びナットｎを取り付けた状態としておく。つまり、図４（ｂ）に示すように、梁棒ユニット２ａのうち軒先専用に用いられる軒先専用梁棒ユニット２ａ１には、その軒先側近傍に、締付座金１６、ボルトｂ及びナットｎから構成される柵体取付クランプ２０があらかじめ取り付けられている。そして、柵体ユニット５ａを設置する際には、柵体ユニット５ａを柵体取付クランプ２０の上から差し込むようにして切り欠き５４にボルトｂを挿通させた後にボルトｂとナットｎで締めて固定する。このように、柵体ユニット５ａの柵体脚部５３に切り欠き５４を設けることにより、屋根上での柵体ユニット５ａの取り付け作業が簡略化され、柵体ユニット５ａの取り付けが極めて容易となる。
【００４０】
柵体ユニット５ａと梁棒２とは、ボルトｂを締め付けることにより固定されているため、柵体ユニット５ａと梁棒２とのなす角度は、ボルトｂを軸として当該軸回りに角度調節が可能となり、屋根の傾斜角度に応じて柵体５を鉛直に固定することができる。また、この角度調節の際、柵体脚部５３に対するボルトｂの位置は多少上下に移動することがあるが、前述の切り欠き５４によりボルトの貫通位置を上下方向で調整できるので、角度調節が円滑に行われる。
【００４１】
なお、柵体ユニット５ａは軒先ｓに沿って複数並列しているが、図１０及び図１３に示すように、隣り合った柵体ユニット５ａ同士は、その枠体５１の上面に設けられた止め金２７により連結している。図１３は、この止め金２７付近を上方から見た平面図である。止め金２７は略長方形の板材であるが、その長手方向一端寄りに回転穴２７ｂを有し、その長手方向他端寄りには、当該長方形の長辺側から短辺と平行な向きに所定位置まで延びる切り欠き状のボルト横入れ部２７ａを有する。止め金２７は、回転穴２７ｂを挿通するボルトｂにより回転自在に軸着されている。そして、一の柵体ユニット５ａの一端側に回動自在に軸着された止め金２７をボルトｂ回りに回転させて、隣接する他の柵体ユニット５ａの他端側に取り付けられたボルトｂをボルト横入れ部２７ａ内に呼び込んではめ入れた後、各ボルトｂを締めて固定する。このように柵体ユニット５ａ同士を連結する止め金２７を設けることにより、柵体ユニット５ａの固定がさらに強固となり安全性が更に高まる。
【００４２】
以上に述べたように、柵体５は、安定的に設置された梁棒２上に固定されているので、柵体５も安定的に固定されることとなり、作業者の高い安全性が確保される。また、柵体５と梁棒２との成す角度を変更できるので、様々な傾斜角度を有する屋根に対応して柵体５を鉛直に立設して固定できる。さらに、柵体５を設けることにより、作業者に視覚的な安心感を与えるとともに、作業者の転落を防止する。また、柵体５の枠体５１の上縁部は手摺として作業者が握ることができ、安全性が一層高まる。
【００４３】
図１４は、軒先ｓ近傍に設置された軒先養生籠６の正面図であり、図１５は、この軒先養生籠６が設置された軒先ｓ近傍の拡大断面図である。図１４及び図１５に示すように、軒先養生籠６は、金属フレーム６１と、この金属フレーム６１内に張設された養生金網６２と、金属フレーム６１の上部から上方に延び且つ上端部でＵ字状に湾曲する吊り下げフック６３とを有する。図１４に示すように、吊り下げフック６３は、一の軒先養生籠６について合計３つが設けられ、その設置位置は、軒先養生籠６の両端部分と中央部分である。軒先養生籠６が軒先ｓと平行に並列することにより、軒先ｓ全体が軒先養生籠６で覆われている（図１参照）。
【００４４】
図１５に示すように、金属フレーム６１は、上部に吊り下げフック６３が固定されかつ下向きに延びる外フレーム６１ａと、外フレーム６１ａの最下端部から略水平方向に延びる底フレーム６１ｂと、底フレーム６１ｂの最内端部から上向きに延びる内フレーム６１ｃよりなり、これらのフレーム内には養生金網６２が設けられている。このように、断面３面構造の軒先養生籠６とすることにより、軒先ｓから落下する物体を確実に受け止めることができる。
【００４５】
図１５に示すように、軒先養生籠６と、軒先ｓに設けられた軒樋１８との間には隙間ｋが設けられている。このような隙間ｋを確保すべく、軒先養生籠６の各部寸法や軒先吊棒１９の位置が調整されている。かかる隙間ｋを設けているので、軒先養生籠６を設置した状態で、軒樋１８を交換する作業や軒樋１８を設置する作業を行うことができるとともに、当該軒樋１８を設置又は交換する作業において軒先ｓから落下する物体を確実に受け止めることができる。
【００４６】
軒先養生籠６は、梁棒２の下部相互間を軒先ｓに沿って架橋する丸パイプから成る軒先吊棒１９に吊り下げられている（図１５参照）。軒先吊棒１９は、隣り合った梁棒２間を架橋するように設置され、軒先ｓに沿って複数の軒先吊棒１９が略同一軸線上に縦列している。図４（ｂ）に示すように、軒先専用梁棒ユニット２ａ１の軒先側端部上面には、断面コの字型の軒先吊棒受２１が溶接固定されている。軒先吊棒受２１の断面コの字は軒先と反対の方向即ち棟の方向に開口しているので（図１５参照）、軒先吊棒受２１は、屋根の傾斜（即ち梁棒２の傾斜）に沿って上向きに傾斜して開口することとなる。そして、軒先吊棒１９の外径は、軒先吊棒受２１の開口幅と略同一とされている。よって、軒先吊棒受２１の開口側から軒先吊棒１９を挿入することにより、軒先吊棒１９が軒先吊棒受２１によって確実に固定される。
【００４７】
図１６（ａ）は、軒先吊棒１９が軒先ｓと平行な方向に並列する状態を示す正面図である。この図に示すように、軒先吊棒１９には、その両端付近に、軒先吊棒１９の軸方向の滑りを防止するフランジ状の滑り止め鍔１９ａが設けられている。この滑り止め鍔１９ａを軒先吊棒１９の両端よりもわずかに軸方向中央寄りの位置に設けることにより、滑り止め鍔１９ａから軒先吊棒１９の両端までの範囲に棒受挿入部１９ｂが確保されている。この棒受挿入部１９ｂの軸方向長さは、軒先専用梁棒ユニット２ａ１のＣ型チャンネル材の断面の長方形における短辺の長さの略半分の長さとされている。よって、図１６（ａ）に示すように、一つの軒先吊棒受２１（図１６（ａ）において破線で示す）に、隣り合う別個の軒先吊棒１９の２つの棒受挿入部１９ｂが挿入されている。さらに、滑り止め鍔１９ａにより軒先吊棒１９の軸方向位置が位置決めされる。なお、図１６（ｂ）に示すように、滑り止め鍔１９ａは矩形の板状部材である。
【００４８】
以上のような構成とすることにより、軒先吊棒１９の設置が極めて容易となり、且つ、確実に軒先吊棒１９を梁棒２に固定することができる。即ち、軒先吊棒１９を設置するには、軒先吊棒受２１に棒受挿入部１９ｂを挿入するだけでよいので、その設置作業は極めて簡便である。しかも、軒先吊棒受２１に設けた軸方向滑り防止機構である滑り止め鍔１９ａにより、軒先吊棒１９が軒先吊棒受２１から外れることがない。また、軒先吊棒１９は、屋根上に安定的に設置された梁棒２に設置しているため、軒先吊棒１９自体も安定して設置される。その結果、この軒先吊棒１９に吊り下げられる軒先養生籠６も安定的に設置されている。
【００４９】
この軒先吊棒１９に軒先養生籠６が吊り下げられている。即ち、図１５に示すように、軒先養生籠６の吊り下げフック６３を軒先吊棒１９に掛けることにより、軒先養生籠６を軒先吊棒１９に吊り下げている。吊り下げフック６３は帯状の金属板材であり、軒先吊棒１９と接する湾曲部の曲率半径は、軒先吊棒１９の外径とほぼ等しくしている。しかも、吊り下げフック６３は、単に金属棒や針金を曲げた様なフックではなく、所定幅を有する帯状の板状部材であって、吊り下げフック６３の湾曲部内周面が形成する凹部に軒先吊棒１９が当接している。したがって、吊り下げフック６３は、遊びやガタツキが少ない状態で軒先吊棒１９に吊り下げられている。また、吊り下げフック６３の湾曲部から末端までに至る折り返し部６３ａの長さは、軒先吊棒１９の直径よりも充分に（２倍程度以上に）長くされている。したがって、軒先養生籠６は多少の振動や衝撃を受けても軒先吊棒１９から外れない。
【００５０】
また、軒先吊棒１９は軒先ｓと略平行に設けられているので、軒先養生籠６に複数設けられた吊り下げフック６３を軒先吊棒１９に吊り下げるだけで、軒先養生籠６は軒先ｓに沿って設置されることとなる。また、軒先吊棒１９は軒先ｓに沿って延在しており、この軒先吊棒１９上において軒先養生籠６の吊り下げ位置（吊り下げフック６３の設置位置）は特に限定されていない。したがって、軒先養生籠６は、吊り下げ位置の自由度が非常に高くなっている。よって、軒先養生籠６を軒先吊棒１９に吊り下げる場合、軒先吊棒１９と軒先養生籠６との相対的位置関係を正確に調整する必要が無い。また、軒先吊棒１９上における吊り下げフック６３の位置が特に限定されないため、吊り下げフック６３の設置間隔や設置個数の設定自由度も高くなる。このように、軒先吊棒１９を軒先ｓと略平行に設けることにより、軒先養生籠６を極めて容易に設置できる。
【００５１】
このように、軒先養生籠６は、軒先吊棒１９に吊り下げるだけで設置できるので、その設置が極めて容易である。しかも、軒先養生籠６自体は極めて小型で且つ軽量とすることができる。よって、軒先養生籠６の取り扱いや搬送が極めて容易となる。また、軒先吊棒１９は、安定的に固定された梁棒２に設置されているので、この軒先吊棒１９及び当該吊棒１９に吊り下げられた軒先養生籠６は安定的に設置され、且つ落下する恐れがない。
【００５２】
さらに、本実施形態では、屋根の妻側から落下する物体を受け止める妻部養生籠７を設けている。この妻部養生籠７の構造及び妻部養生籠７を固定する構造は、軒先養生籠６のそれと類似している。図１７は、妻部ｔの近傍に設置された妻部養生籠７の正面図であり、図１８は、この妻部養生籠７が設置された妻部ｔ近傍の断面図である。
【００５３】
妻部養生籠７自体の構造は、前述の軒先養生籠６と同様であるので説明を省略する。ただし、図１７に示すように、軒先養生籠６と異なり、妻籠金属フレーム７１の形状は長方形でなく平行四辺形となっており、屋根の妻部ｔに沿って設置するのに適した形状とされている。
【００５４】
図１８に示すように、妻部養生籠７は、屋根の最も妻側に位置する梁棒２に妻部ｔと平行に設けられた妻部吊棒２２に吊り下げられている。最も妻側に位置する梁棒２には、その妻側面から妻側に突設された妻側突起２３が溶接されている。即ち、梁棒２を構成する梁棒ユニット２ａのうち、最も妻側に位置する梁棒ユニット２ａは、妻側突起２３が溶接された妻部専用梁棒ユニット２ａ２とされている。この妻側突起２３はＬ字アングル材であり、その一面には、妻側突起２３の突出方向に向かって長いルーズホールとされた妻部吊棒挿通孔２４が設けられており、この妻部吊棒挿通孔２４に妻部吊棒２２を挿通することによって妻部吊棒２２が設置されている。そして、この妻部吊棒２２に妻部養生籠７が吊り下げられている。妻部吊棒挿通孔２４がルーズホールとされているので、屋根の妻部形状に対応させて妻部養生籠７の位置を調整することが可能となる。
【００５５】
図１９は、別々の妻部吊棒２２同士が連結する連結部の拡大図である。図１９に示すように、妻部吊棒２２の一端には、当該妻部吊棒２２の外径と略同一の内径を有する継ぎパイプ２５が溶接固定されており、この継ぎパイプ２５に別の妻部吊棒２２の他端を差し込むことによって、複数の妻部吊棒２２が連結している。このようにして複数本連結した妻部吊棒２２が屋根の妻部ｔと平行に設けられている。なお、図示を省略するが、妻部吊棒２２は、前述の軒先吊棒１９と同様にフランジ状の滑り止め鍔を有しており、横滑りを防止している。この滑り止め鍔は、前述のつなぎ棒３の妻側末端部分と当接する位置に設けており、妻部吊棒２２の軸方向の滑りを防止する。
【００５６】
以上のような構成によれば、妻部養生籠７は、妻部吊棒２２に吊り下げるだけで設置できるので、妻部養生籠７が極めて容易に設置できるとともに、妻部養生籠７自体を極めて小型化且つ軽量化できる。また、妻部吊棒２２は、安定的に固定された梁棒に設置されているので、この妻部吊棒２２及び当該吊棒２２に吊り下げられた妻部養生籠７は安定的に設置され、また落下する恐れがない。
【００５７】
また、妻部吊棒２２が妻部ｔと略平行に設けられていることにより、前述の軒先吊棒１９と同様の利点を有する。即ち、妻部養生籠７を妻部吊棒２２に吊り下げるだけで、妻部養生籠７は妻部ｔに沿って設置されることとなる。また、妻部吊棒２２は妻部ｔに沿って延在しており、この妻部吊棒２２上において妻部養生籠７の吊り下げ位置は特に限定されていない。したがって、妻部養生籠７は、吊り下げ位置の自由度が非常に高くなっている。よって、妻部養生籠７を妻部吊棒２２に吊り下げる場合、妻部吊棒２２と妻部養生籠７との相対的位置関係を正確に調整する必要が無い。このように、妻部吊棒２２を妻部ｔと略平行に設けることにより、妻部養生籠７を極めて容易に設置できる。
【００５８】
図４（ｃ）、図２及び図３に示すように、梁棒２の上側端部を構成し、最も上側に位置する棟部専用梁棒ユニット２ａ３は、その長手方向に沿って複数のボルト穴ｈを備えている。図３に示すように、本実施形態では、切妻屋根の一の面に設けられた梁棒２と、切妻屋根の他の面に設けられた梁棒２とが、棟連結部１０において棟部連結ボルト２６により連結している。このように、棟部から２方向に傾斜する両面に設けられた梁棒２同士を結合することにより両者がバランスし、装置の固定がより安定することは前述の通りであるが、棟部専用梁棒ユニット２ａ３はその長手方向に沿って複数のボルト穴ｈを有しており、この複数のボルト穴ｈにより、棟部連結ボルト２６による連結位置を調整できる。隣り合う複数のボルト穴ｈ間の間隔ｈｔ（図４（ｃ）参照）は１０ｃｍ程度以下としておけば位置調整が容易となる。このようにすると、屋根の大きさに対応して棟部専用梁棒ユニット２ａ３の長さを調整する必要が無くなる。しかも、ボルト穴ｈにボルトを挿通して連結するから、極めて強固かつ確実に連結することができる。したがって、梁棒２の固定がより一層強固となり、ひいては屋根作業用命綱取り付け装置全体が極めて安定的に固定される。なお、本実施形態では、複数のボルト穴ｈを棟部専用梁棒ユニット２ａ３同士の連結に利用したが、アンカー部材１との連結に利用してもよい。
【００５９】
本実施形態に係る屋根作業用命綱取り付け装置は、装置全体としては屋根のほぼ全面を覆うことのできる大きさに組み立てられているが、装置を構成する全ての部材はその長さが２５００ｍｍ以下とされ、更には２１００ｍｍ以下とされている。即ち、梁棒２を構成する梁棒ユニット２ａの長さＬｒ（図４参照）は１５００ｍｍ〜２０９０ｍｍとされ、つなぎ棒３の長さＬｔ（図６参照）は１９９０ｍｍとされ、柵体５の長辺の長さＬｓ（図１０参照）は１９８０ｍｍとされている。さらに、軒先養生籠６の長手方向長さＬｎ（図１４参照）は１９３０ｍｍとされ、軒先吊棒１９の長さＬｂ（図１６（ａ）参照）は１９９０ｍｍとされている。更には、妻部養生籠７の長手方向長さＬｙ（図１７参照）は２０００ｍｍとされ、妻部吊棒２２の長さ（図示しない）は２０５０ｍｍ（継ぎパイプ２５を含む）とされている。その他の部材も２１００ｍｍ以下とされている。
【００６０】
ここで、汎用のエレベーターの内部高さは約２５００ｍｍであり、このエレベーターの内部の幅や奥行きは２５００ｍｍより小さい。よって、装置を構成する全ての部材の長さが２５００ｍｍ以下であると、汎用のエレベーターに全ての部材を積み込むことができ、部材を屋根まで搬送することが極めて容易となる。さらには本実施形態のように２１００ｍｍ以下であると、エレベーターへの積み込みがより一層円滑となり、屋根上での取り扱いも容易となるので好ましい。
【００６１】
ところで、つなぎ棒３の長さＬｔの長さを２５００ｍｍ以下、更には２１００ｍｍ以下とすることができたのは、隣り合った梁棒２相互間の、軒先と平行な方向における間隔Ｐｒ（図７参照）を２５００ｍｍ以下、更には２１００ｍｍ以下としたことによる。即ち、梁棒２の設置間隔Ｐｒを２５００ｍｍ以下、更には２１００ｍｍ以下としたので、隣り合う梁棒２相互間を架橋するつなぎ棒３の長さも短くできたのである。そして、梁棒２相互間をつなぎ棒３で架橋した結果、図１に示すような碁盤格子状の屋根作業用命綱取り付け装置としている。
【００６２】
このように、本実施形態では、隣り合った梁棒２相互間の、軒先と平行な方向における間隔Ｐｒを２５００ｍｍ以下とし、さらには２１００ｍｍ以下としたので、隣り合った梁棒２相互間を架橋するつなぎ棒３の長さＬｔを２５００ｍｍ以下、さらには２１００ｍｍ以下とすることができた。また、隣り合うつなぎ棒３相互間の妻部ｔと平行な方向における間隔Ｐｔ（図２参照）も２５００ｍｍ以下、更には２１００ｍｍ以下とした。その結果、図１に示す碁盤格子状の屋根作業用命綱取り付け装置は、隣り合い且つ平行な２本の梁棒２と、隣り合い且つ平行な２本のつなぎ棒３とにより構成される矩形構造を単位とする集合体であって、この矩形単位の１辺が２５００ｍｍ以下、更には２１００ｍｍ以下とされている。よって、作業者は、屋根上のいずれの地点においても安全装置が身近に存在することとなる。したがって、命綱の長さが非常に短くなり、命綱が長い場合と比較して作業者の体勢が安定する他、命綱に足を取られる可能性が少なくため、作業性や安全性が向上する。また、作業者が作業中に体勢を崩した場合等でも、身近に存在する梁棒２又はつなぎ棒３に直ちに掴まることができるので、作業の安全性が極めて高くなる。
【００６３】
本発明において、各部材を構成する材質等は特に限定しない。ただし、建築資材として用いられる汎用の資材を用いるとコスト面で有利となり好ましい。また、各部材に求められる強度や剛性を考慮しつつ、軽量化にも配慮した材料とすることが好ましい。例えば、比較的高い強度と剛性が要求される梁棒２を構成する梁棒ユニット２ａとしては、汎用のＣ型チャンネル材や角パイプ等を用いることができ、例えば、断面寸法が１００ｍｍ×５０ｍｍ×２０ｍｍ程度で肉厚が２．３ｍｍ程度のリップ溝型鋼を使用しうる。また、特に軒先専用梁棒ユニット２ａ１は、柵体５や軒先養生籠６を取り付けるので、他の梁棒ユニット２ａよりも剛性を高めるのが好ましく、例えば断面寸法は１００ｍｍ×５０ｍｍ×２０ｍｍで同一としつつ肉厚を３．２ｍｍ程度と厚めにした鋼を使用しうる。また、つなぎ棒３としては、例えば汎用のＬ字アングル材を使用することができ、例えば断面寸法が５０ｍｍ×５０ｍｍ程度で肉厚が５ｍｍ程度のものを使用しうる。
【００６４】
一方、軒先養生籠６や妻部養生籠７は、梁棒２やつなぎ棒３ほど大きな強度や剛性を必要としないので、軽量化を重視した材料を用いることができる。例えば、軒先養生籠６の金属フレーム６１や、妻部養生籠７の妻籠金属フレーム７１は、アルミ又はアルミ合金を使用するのが好ましく、例えば断面寸法が２０ｍｍ×２０ｍｍ程度のアルミ合金製角パイプを使用することができる。また、吊り下げフック６３には厚さ２ｍｍ、幅２０ｍｍ程度のステンレス板を使用しうる。その他、梁棒２を支持するアンカー部材１としては、直径１６ｍｍ程度のボルトを使用でき、また脚体４の本体部４ｃとしては断面寸法５０ｍｍ×５０ｍｍ程度で厚みが２．３ｍｍ程度の角パイプを使用することができる。
【００６５】
脚体４の離間機構は、前記実施形態のような構成に限られない。例えば、蝶番等により脚体４を折りたたみ可能としてもよい。この場合、不必要に折りたたまれることを防止する安全機構を更に設けるのが好ましい。また、脚体４を折りたたみ可能とする場合、隣り合った脚体４間で折りたたまれる方向を互い違いにしておくのが好ましい。ここで、隣り合った脚体４とは、同一の梁棒２を支持し屋根の上下方向に隣り合った脚体４でも良く、屋根の水平方向において隣り合った脚体４でも良い。このように隣り合った脚体４間で折りたたまれる方向を互い違いにしておくことにより、全ての脚体４が一方向に倒れてしまうことが防止されるので安全性が高まる。このような折りたたみ式の脚体４とすると、脚体４を離間させる作業が比較的容易となる点においては好ましいが、脚体４の安定性や、脚体４による梁棒２の支持の確実性、さらには製造コストをも考慮すると、脚体４は折りたたみ構造ではなく、前述のようなルーズホールを有する構造とするのが好ましい。
【００６６】
前述の実施形態においては、図８に示すように、脚体４の梁棒取付孔４ａをルーズホールとすることにより、脚体４を屋根上面と離間しうる構成としているが、これに加え、又はこれに替えて、脚安定用部材４ｂを取り付けるべく台形プレート４０及び／又は脚体４の本体部４ｃに設けられたボルト穴ｈをルーズホールにすることにより、脚安定用部材４ｂを脚体４の本体部４ｃに対して上下しうる構成としてもよい。このようにすると、脚安定用部材４ｂの上下動のみで脚体４を屋根上面から離間できるので作業性が向上する。また、前述の折りたたみ機構を採用する際には、脚安定用部材４ｂを浮かせることで折りたたみ作業が円滑に行われる。
【００６７】
脚体４の離間機構に関し、屋根上面と離間した脚体との間の隙間距離は４ｃｍ以上、さらには５ｃｍ以上とするのが好ましい。この程度の隙間が確保できれば、シングル等の屋根材を容易に葺くことができる。
【００６８】
梁棒２と屋根上面との間の隙間距離は特に問わないが、１００ｍｍ以上が好ましく、１５０ｍｍ以上がより好ましく、２００ｍｍ以上が特に好ましい。この隙間距離が小さすぎると梁棒２あるいはつなぎ棒３が屋根葺き作業等の作業において障害となる場合があるからである。一方、この隙間距離が大きすぎると、脚体４が長くなり装置が不安定となる傾向となるので、５００ｍｍ以下が好ましく、さらには４００ｍｍ以下が好ましく、特に３００ｍｍ以下が好ましい。
【００６９】
本発明は、前記実施形態のような切妻屋根に限られず、片流れ屋根、のこぎり屋根、越し屋根、Ｍ型屋根、腰折れ屋根、方型屋根、寄せ棟屋根、入り母屋屋根、しころ風屋根、半切妻屋根、から破風屋根、乗越し屋根、等あらゆる形状の傾斜屋根に適用できる。ここで、例えば片流れ屋根の場合、図２０に示すように、建造物の棟部ｍから鉛直下方に向かって延在する垂直壁面にボルト穴ｈを有するアンカー部材１を固定し、このボルト穴ｈと棟部専用梁棒ユニット２ａ３のボルト穴ｈとにボルトｂを挿通して締結することにより、アンカー部材１に梁棒ユニット２ａとを連結させることができる。また、寄せ棟屋根の場合には、例えば、二本の梁棒２を束ね合わせた部材を当該寄せ棟屋根の寄せ棟棟部に沿って固定し、かかる２本の梁棒２のそれぞれが、各傾斜面上に設置される梁棒２やつなぎ棒３などと連結する構成としてもよい。
【００７０】
本発明の屋根作業用命綱取り付け装置で複数のユニット部材を用いる場合、基本的には同一のユニット部材を単位としてこれを複数用いることとなる。しかし、屋根の大きさにより調整が必要な場合には、別途調整用ユニット部材を用いることができる。例えば、建造物の軒先ｓの長さが、軒先養生籠６の長手方向長さＬｎ（図１４参照）の整数倍でないような場合には、このＬｎよりも長手方向長さが短い調整用軒先養生籠を別途設けることができる。この点は、妻部養生籠７など他の部材に関しても同様である。
【００７１】
前述の実施形態では、柵体５は枠体５１とメッキ金網５２を有する構成としたが、かかる構成に限定されない。例えば、メッキ金網５２の部分が格子等であっても良く、また枠体５１のみでメッキ金網５２が無いようなものでも良い。また、柵体５の高さｈ５（図１０参照）は特に問わないが、前述のような視覚的効果や安全効果を充分なものとするためには、５００ｍｍ以上が好ましく、更には７００ｍｍ以上がより好ましく、９００ｍｍ以上が特に好ましい。なお、この高さｈ５が大きすぎると柵体５が大きくなり取り扱いや搬送がしにくくなるので、１５００ｍｍ以下が好ましく、１２００ｍｍ以下がより好ましい。
【００７２】
図１５に示すように、軒先養生籠６は、軒樋１８との間に隙間ｋを有しうる大きさとするのが好ましい。ここで、軒樋１８の幅１８ｗは、比較的大型の軒樋１８でも１８０ｍｍ程度である。また、軒樋１８の高さ１８ｈも同様に１８０ｍｍ程度である。このことを考慮すると、軒先養生籠６の吊り下げ側面の高さ６ｈは５００ｍｍ〜９００ｍｍ程度が好ましく、６００ｍｍ〜８００ｍｍがさらに好ましい。軒先養生籠６の奥行き６ｗは３００ｍｍ〜８００ｍｍが好ましく、４００ｍｍ〜７００ｍｍが更に好ましく、４００ｍｍ〜６００ｍｍが特に好ましい。これらの値が大きすぎると、軒先養生籠６が大きくなりすぎて搬送上不便となる。これらの値が小さいと隙間ｋを充分確保できず軒樋１８の取り付けや交換の作業をしにくくなる場合がある。なおこの場合、軒先専用梁棒ユニット２ａ１が軒先ｓよりも外側にはみ出している長さＬ２は２００ｍｍ〜５００ｍｍ程度とすると隙間ｋを確保しやすくなるので好ましい。隙間ｋの幅としては、５０ｍｍ以上、さらには１００ｍｍ以上確保できれば作業しやすいので好ましい。隙間ｋの幅が大きすぎる場合は軒先養生籠６が大きくなりすぎることとなるので、隙間ｋの幅は３００ｍｍ以下、更には２００ｍｍ以下が好ましい。
【００７３】
なお、柵体５は、前述の実施形態のように、梁棒２に固定されるのが好ましいが、図１１に示すように、梁棒２に直接的に取り付けられている場合のみならず、梁棒２と柵体５との間に、梁棒２に固定された他の部材が介在していてもよい。例えば、つなぎ棒３が、そのボルト状突起３ａとこれにねじ結合するナットにより梁棒２にねじ止めされており、このつなぎ棒３に柵体５が固定されている場合でも、結局は柵体５が梁棒２に固定されていることになるので、柵体５が安定的に設置できて好ましい。
【００７４】
また、軒先養生籠６や妻部養生籠７を吊り下げるための軒先吊棒１９や妻部吊棒２２は、前記の実施形態の如く梁棒２に設置されているのが好ましい。梁棒２はアンカー部材１と連結し且つ脚体４に支持されて安定的に設置されているので、この梁棒２に軒先吊棒１９や妻部吊棒２２を設置すると、軒先吊棒１９や妻部吊棒２２も安定的に設置できるからである。
【００７５】
梁棒２とアンカー部材１とを連結する場合、前述の実施形態のように梁棒２と直接連結している場合に限られず（図３参照）、他の部材を介して連結されていてもよい。例えば、梁棒２とボルト締め固定されたつなぎ棒３にアンカー部材１が連結していてもよい。なお、アンカー部材１は、実施形態の如く一本の梁棒２について一つ設けると、梁棒２の固定を強固にしつつアンカー部材１の数を最小限にして建造物の損傷を抑制しうる点で好ましい。また前述のように棟部ｍを挟んだ屋根両面に装置を設けてアンカー部材１を設けない場合には、アンカー部材１による建造物の損傷がない点で好ましい。
【００７６】
図２１〜図２６は、本発明の第二実施形態に係る屋根作業用命綱取り付け装置を示す。図１〜図１９に示す第一実施形態と装置の基本構成は同一であるので、第一実施形態との主たる相違点について説明する。
【００７７】
第二実施形態においては、脚体４を屋根上面から離間させる離間機構が前述の第一実施形態と異なる。図２１は、脚体４付近の側面図であるが、本第二実施形態における脚体４は、梁棒２を左右方向から挟み込みつつ対向する長方形の２枚の側面板８０（図２１においては、このうち１枚の（図面手前側の）側面板８０のみ表記される）と、これら対向する２枚の側面板８０間の屋根下側長辺同士の間に延び２枚の側面板８０を連結する下側連結板８１（図２１において断面で示す）と、同じく対向する２枚の側面板８０間の屋根上側長辺同士の間に延び２枚の側面板８０を連結する上側連結板８２（図２１において断面で示す）とを有する。一方、２枚の側面板８０には、その略長手方向に並列する２つの穴である上側貫通孔８３及び下側貫通孔８４が設けられている。一方、梁棒２にもこれら貫通孔８３，８４と対応する位置に貫通孔が設けられており、脚体４が立設した状態では、貫通孔８３，８４はそれぞれ２枚の側面板８０及びその間に介在する梁棒２を貫通する貫通孔を構成する。そして、脚体４は、２つの貫通孔８３，８４のうちの何れか一つの貫通孔（ここでは、下側貫通孔８４）に挿通された軸部材（図示省略）により梁棒２に対して回動可能に軸着されている。したがって脚体４は、下側貫通孔８４の孔軸まわりに回動する。
【００７８】
この回動軸たる下側貫通孔８４の孔軸と屋根上面ｙとの距離は、屋根下方向にいくにしたがって大きくなり、逆に、屋根上方向にいくにしたがって小さくなる。よって脚体４は、屋根上方向には屋根が邪魔となって容易には回動できないが、図２１に矢印で示す屋根下方向には容易に回動できる。したがって屋根作業の際には、脚体４を屋根上側から屋根下方向に押すだけで容易に脚体４が屋根上面ｙから離間し、屋根材を葺く等の作業を円滑に進めることができる。
【００７９】
また、脚体４を離間させないときには、脚体４を立設した状態で上側貫通孔８３と梁棒２とを貫通する軸体（後述する折れピン等）を挿入して、脚体４の回動を防止する。このようにすることで装置の安定性が高まる。
ここで、図２１の脚体４において断面で示す下側連結板８１と上側連結板８２とを比較すると、上側連結板８２は側面板８０の下方から梁棒２に近い位置まで延在しているのに対し、下側連結板８１は側面板８０の下方寄りの一部分にのみ設けられている。よって、下側連結板８１の上方であって対向する側面板８０相互間には開口部８５があり、脚体４が屋根下方向に回動する際には、この開口部８５に梁棒２が入り込むこととなり、脚体４の屋根下方向への回動が許容されている。
一方、脚体４の屋根上側には前記開口部８５のような開口部がなく、脚体４が屋根上方向に回動しようとすると上側連結板８２の上縁部が梁棒２に当接して当該回動が阻止される。このように、脚体４の回動を屋根下方向のみに規制する規制手段を設けた場合には、屋根下方向に作用する重力等の影響で脚体４が屋根上方向に倒れうるような事態が万一発生したとしても、当該屋根上方向への脚体４の回動を阻止するので、装置の安全性、安定性が更に高まる。
なお、屋根下方向とは、棟部ｍから軒先ｓへと向かう方向のことであり、屋根上方向とは、逆に軒先ｓから棟部ｍへと向かう方向のことである。また、左右方向とは、屋根上面ｙと平行で且つ屋根上下方向と垂直な方向のことである。
【００８０】
図２２は、第二実施形態に係るつなぎ棒８６である。
このつなぎ棒８６は伸縮可能とされている。即ちこのつなぎ棒８６は、比較的太い角パイプである太角パイプ８７の中空内部に、この太角パイプ８７よりも一回り細い角パイプである細角パイプ８８が挿入された構造となっており、この細角パイプ８８を太角パイプ８７に対して相対移動させつつ抜き差しすることにより伸縮可能とされている。また、かかる太角パイプ８７と細角パイプ８８との相対移動を防止してつなぎ棒８６を一定長さで固定するための固定ねじ８９が設けられている。
また、このつなぎ棒８６の両端部には、梁棒２の上方から当該梁棒２を嵌め込むことができる嵌め込みジョイント部９０が設けられている。
【００８１】
図２３は、この嵌め込みジョイント部９０及びこれに挿入される折れピン９１の拡大断面図である。この嵌め込みジョイント部９０は、下方開放された略コの字型形状をなし、かつその隙間距離９０Ｌは梁棒２の幅（左右方向幅）と略等しくされている。したがって、梁棒２の上方から嵌め込みジョイント部９０を嵌め込むことができる。このようにすると、前述したつなぎ棒３のボルト状突起３ａや梁棒２のＬ字アングル小片２ｃが不要となり部材が簡素となるとともに、梁棒２とつなぎ棒３との連結がより安定し、更に作業性が極めて高まる。かかる嵌め込みの後に、嵌め込みジョイント部９０の下方部分に設けられた貫通孔９０ｂ（図２１参照）に折れピン９１を貫通させて、梁棒２が嵌め込みジョイント部９０から外れないようにしている。また、梁棒２には、嵌め込みジョイント部９０の位置ズレを防止すべく突起２ｆが設けられている（図２１参照）。図２１では、折れピン９１の記載を省略している。
【００８２】
折れピン９１は、図２３に示すように、直線棒状の主要部９１ａと、この主要部９１ａに回動自在に軸着された折れ部９１ｂとからなる。主要部９１ａと折れ部９１ｂとを互いに回動させて、主要部９１ａと折れ部９１ｂとを略同一軸上に配向させることにより、折れピン９１全体を略直線棒状とすることができる。この状態で貫通孔９０ｂに挿通する。主要部９１ａの長手方向長さは、貫通が要求される長さ（即ち上述の隙間距離９０Ｌ）以上の長さとされている。更に、折れ部９１ｂの回動中心軸は折れ部９１ｂの長手方向中心位置に位置しておらず、長手方向に偏在した位置とされている。よって、主要部９１ａを略水平な状態としたとき、重力の作用で折れ部９１ｂ鉛直方向に垂れ下がり折れ曲がった状態となる。したがって、折れピン９１を差し込んで放置しておくだけで折れ部９１ｂは折れ曲がり、折れピン９１の抜けが防止される。なお、折れピン９１は嵌め込みジョイント部９０本体と鎖９２で繋がれており、折れピン９１の散逸が防止されている。
【００８３】
このようにつなぎ棒８６は伸縮自在とされているので、隣り合った梁棒２相互間の間隔を、つなぎ棒８６の伸縮範囲において変化させることができる。そうすると、梁棒２の位置の自由度が高まり、その結果梁棒２を支持する脚体４の位置自由度も高まる。よって、屋根上面ｙに局所的に凹凸がある場合など、脚体４を配置しにくい位置がある場合に、当該位置を避けるようにして脚体４を配置することができる。
【００８４】
また、つなぎ棒８６を伸縮させることによりつなぎ棒８６が短くなって運搬しやすくなる。さらに、つなぎ棒８６の長手方向長さ（収縮時の長さ）を前述の好ましい長さ（２５００ｍｍ以下、あるいは２１００ｍｍ以下）としても、使用時にはつなぎ棒８６を伸ばすことにより梁棒２同士の配置間隔をかかる好ましい長さよりも広くすることができる。
さらに、つなぎ棒８６を伸ばすことにより梁棒２の配置間隔を広げて、装置における梁棒２及びそれに付随する各部材の使用個数を必要に応じて適宜少なくすることもできる。
【００８５】
図２４及び図２５は、本実施形態のアンカー部材９３の図であり、図２４は屋根の棟部ｍの稜線延長方向から見た側面図であり、図２５はその斜視図である。このアンカー部材９３は、略鉛直方向に立設された４本の脚部９３ａ，９３ｂ，９３ｃ，９３ｄと、これら脚部９３ａ〜９３ｄを適宜連結する連結部９４とを有する。このアンカー部材９３は、棟部ｍをまたがるように設けられ、４本の脚部９３ａ〜９３ｄのうち２本の脚部９３ａ，９３ｂが同一の屋根平面内に設けられ、もう２本の脚部９３ｃ，９３ｄは棟部ｍを挟んだ他の屋根平面内に設けられている。そして、全ての脚部９３ａ，９３ｂ，９３ｃ，９３ｄはカットアンカー９６により屋根に固定されている。
【００８６】
アンカー部材９３はさらに、棟部ｍの稜線と略平行な方向に延び、同一の屋根平面内に立設された２本の脚部（即ち、脚部９３ａと脚部９３ｂ、及び、脚部９３ｃと脚部９３ｄ）のそれぞれを連結するとともに後述の梁棒保持体９７が取り付けられたスライド棒９５を備えている。このスライド棒９５のそれぞれには、スライド棒９５をレールとして当該スライド棒９５上をスライド可能で且つ梁棒２を保持することのできる梁棒保持体９７を設けている。この梁棒保持体９７は、必要に応じて一のスライド棒９５上に複数設けることができる。なお、図２５では梁棒保持体９７の記載を省略している。
【００８７】
図２４に示すように、梁棒保持体９７は、スライド棒９５が挿通されるスライド部９７ａと、仮想線で示す梁棒２が挿通されつつ保持される保持部９７ｂとを有する。
スライド部９７ａは、スライド棒９５に沿った方向に軸が配向した角パイプであり、一方、保持部９７ｂは、梁棒２に略沿った方向に軸が配向し且つ梁棒２を挿通可能な太さを有する角パイプである。スライド部９７ａにより、スライド棒９５をレールとして梁棒保持体９７がスライドする。このスライドにより、梁棒保持体９７の位置を梁棒２の位置に対応させることができる。そして、スライド防止用ボルトｂｓを締め込むことにより梁棒保持体９７の位置を固定できる。
一方、保持部９７ｂには、梁棒２が挿通されつつ、保持用ボルトｂｈを締め込むことにより梁棒保持体９７が梁棒２を保持する。
【００８８】
このような構成では、アンカー部材９３は４本の脚部で立設されているので、極めて安定的に設置される。そしてこのアンカー部材９３に梁棒２が保持されているので、このアンカー部材９３により屋根作業用命綱取り付け装置全体が安定する。しかもこのアンカー部材９３は、棟部ｍを跨ぐようにして且つ棟部ｍに対して対称に設置されているので、その安定性はさらに高まっている。また、このアンカー部材９３に水平板を更に設置する等により、資材置き台として活用することもできる。
【００８９】
図２６は、軒先ｓ近傍の側面図である。この軒先ｓには、軒先ｓを上下から挟み込んで屋根と固定されつつ梁棒２を支持する補強部材としての締付けジャッキ９８が設けられている。
この締付けジャッキ９８は、上下方向に延びる棒体内部にねじ穴９８ｂが貫通してなる上部軸体９８ａと、このねじ穴９８ｂと螺合するネジ棒９８ｎと、このネジ棒９８ｎの上端部に取り付けられたハンドル９８ｈと、このネジ棒９８ｎの下端部に取り付けられ屋根の上側から軒先ｓを挟み込む上側挟持部９８ｄと、を有する。さらにこの締付けジャッキ９８は、上部軸体９８ａの下部から屋根の軒先ｓを回り込むようにして軒先ｓの下側に至る略コの字状の迂回部９８ｃと、この迂回部９８ｃの端部であってねじ穴９８ｂの軸線の略延長線上に位置し軒先ｓの下側から軒先ｓを挟み込む下側挟持部９８ｅと、を有している。
【００９０】
締付けジャッキ９８と梁棒２とは、上部軸体９８ａにおいて図示しないボルト等により連結されている。さらに、迂回部９８ｃから上方に延びる連結部９８ｆと梁棒２とが図示しないボルト等により連結されている。
上側挟持部９８ｄと下側挟持部９８ｅとの対向距離を近づけるようにハンドル９８ｈを回すことにより、軒先ｓを挟み込んで屋根に締付けジャッキ９８を固定することができる。そして、この締付けジャッキ９８と梁棒２とが連結されているので、梁棒２が屋根に対してより安定的に設置されることとなる。また、軒先ｓに前述した軒先養生籠６や柵体５を設ける場合には、締付けジャッキ９８により軒先ｓ付近において梁棒２が安定するため、軒先ｓ付近で梁棒２に固定された柵体５や軒先養生籠６が安定する。また、同様の構造の締付けジャッキを妻部ｔ近傍に設けると、梁棒２が安定的に支持されるとともに、妻部養生籠７が安定するので好ましい。
なお、図２６に示すように、この第二実施形態では、第一実施形態において別体であった柵体５と軒先養生籠６とを一体化した養生籠兼用柵体９９を設けて、部材点数の削減を図っている。この養生籠兼用柵体９９の固定手法は、その内周面の断面が矩形の軒先吊棒受２１に、当該矩形とほぼ同形状の外周断面形状を有し且つ養生籠兼用柵体９９と一体的に結合する軒先吊棒１９を嵌め込む手法が採られている。このようにすると軒先吊棒１９の軸まわりの回転が防止され、養生籠兼用柵体９９の姿勢が安定する。
【００９１】
本発明の屋根作業用命綱取り付け装置では、足場が不要であるため、設置コストが極めて低くなると共に、設置工期が短く、極めて簡便に設置できる。高層ビルや高層マンションにおいても傾斜屋根が多く見られるが、このような高層建築において軒下の地面から足場を組み上げると、その設置コストは膨大となり、設置工期も極めて長くなる。本発明では、このような足場が不要であるため、設置コストを大幅に低減できる。
【図面の簡単な説明】
【００９２】
【図１】本発明の一実施形態に係る屋根作業用命綱取り付け装置の斜視図である。
【図２】本発明の一実施形態に係る屋根作業用命綱取り付け装置を妻側から見た側面図である。
【図３】図２の棟部における拡大図である。
【図４】本発明の一実施形態に使用される梁棒ユニットの平面図である。
【図５】梁棒ユニット同士が連結する梁棒ジョイント部の拡大平面図である。
【図６】本発明の一実施形態に使用されるつなぎ棒の平面図である。
【図７】梁棒とつなぎ棒との連結部分付近の拡大図である。
【図８】脚体付近の側面図である。
【図９】脚体の下部付近の側面図である。
【図１０】柵体部分の正面図である。
【図１１】柵体と梁棒との連結部分（図１０の円内）を示す拡大正面図である。
【図１２】柵体における柵体脚部付近の拡大側面図である。
【図１３】柵体同士を連結する止め金付近の拡大平面図である。
【図１４】軒先養生籠正面図である。
【図１５】軒先養生籠が設置された軒先近傍の拡大断面図である
【図１６】軒先吊棒付近の拡大図及び滑り止めフランジを示す側面図である。
【図１７】妻部養生籠の正面図である。
【図１８】妻部養生籠が設置された妻部近傍の拡大断面図である。
【図１９】別々の妻部吊棒同士が連結する継ぎパイプ付近の拡大図である。
【図２０】本発明の他の実施形態における棟部付近の概略側面図である。
【図２１】本発明の第二実施形態における脚体付近の側面図である。
【図２２】本発明の第二実施形態におけるつなぎ棒の平面図である。
【図２３】図２２のつなぎ棒における嵌め込みジョイント部の拡大図である。
【図２４】本発明の第二実施形態におけるアンカー部材の側面図である。
【図２５】図２４のアンカー部材の斜視図である。
【図２６】本発明の第二実施形態における軒先付近の側面図である。
【符号の説明】
【００９３】
１    アンカー部材
２    梁棒
２ａ  梁棒ユニット
３    つなぎ棒
４    脚体
５    柵体
６    軒先養生籠
７    妻部養生籠
１９  軒先吊棒
２２  妻部吊棒
ｍ    棟部
ｓ    軒先
ｔ    妻部
Ｐｒ  隣り合った梁棒相互間の、軒先と平行な方向における間隔
９０  嵌め込みジョイント部
９８  締付けジャッキ（補強部材）
【図１】
0004762952.tif 000002
【図２】
0004762952.tif 000003
【図３】
0004762952.tif 000004
【図４】
0004762952.tif 000005
【図５】
0004762952.tif 000006
【図６】
0004762952.tif 000007
【図７】
0004762952.tif 000008
【図８】
0004762952.tif 000009
【図９】
0004762952.tif 000010
【図１０】
0004762952.tif 000011
【図１１】
0004762952.tif 000012
【図１２】
0004762952.tif 000013
【図１３】
0004762952.tif 000014
【図１４】
0004762952.tif 000015
【図１５】
0004762952.tif 000016
【図１６】
0004762952.tif 000017
【図１７】
0004762952.tif 000018
【図１８】
0004762952.tif 000019
【図１９】
0004762952.tif 000020
【図２０】
0004762952.tif 000021
【図２１】
0004762952.tif 000022
【図２２】
0004762952.tif 000023
【図２３】
0004762952.tif 000024
【図２４】
0004762952.tif 000025
【図２５】
0004762952.tif 000026
【図２６】
0004762952.tif 000027